(57)【要約】【課題】小出力の光源装置からの比較的弱い光の照射によって効率よく血糖値の測定を行うことができる装置および方法を提供する。【解決手段】血糖値測定装置１０は、光源装置１２と、プリズム１３と、光検出装置１４と、算出装置１４Ａとを備える。プリズム１３は、光源装置１２からの照射光９１が入射される入射面１３Ｂと、入射面１３Ｂから入射された照射光９１を中指の腹９０Ａ（生体部位）に向けて照射する照射面１３Ｃと、中指の腹９０Ａにて反射された反射光９２が光検出装置１４に向けて出射される出射面１３Ｆと、を別個に有する。プリズム１３は、入射面１３Ｂから入射された照射光９１を照射面１３Ｃから中指の腹９０Ａに対して垂直に照射し、照射光９１と光軸が一致するように正反射された反射光９２を入射面１３Ｂとは異なる出射面１３Ｆから出射するように、照射光９１または反射光９２を偏向させる。【選択図】図３
2018020011.tif 000002
【特許請求の範囲】
【請求項１】
生体部位に照射光を照射した際に前記生体部位にて反射される反射光に基づいて、血糖値を非侵襲で測定する血糖値測定装置において、
前記照射光を発する光源装置と、
光を透過可能なプリズムと、
前記生体部位にて反射された前記反射光を検出する光検出装置と、
前記光検出装置における前記反射光の検出結果に基づいて血糖値を算出する算出装置と、
を備え、
前記プリズムは、前記光源装置からの前記照射光が入射される入射面と、当該入射面から入射された前記照射光を前記生体部位に向けて照射する照射面と、前記生体部位にて反射された前記反射光が前記光検出装置に向けて出射される出射面と、を別個に有し、前記入射面から入射された前記照射光を前記照射面から前記生体部位に対して垂直に照射し、当該照射光と光軸が一致するように正反射された前記反射光を前記入射面とは異なる前記出射面から出射するように、前記照射光または前記反射光を偏向させる、
血糖値測定装置。
【請求項２】
請求項１に記載の血糖値測定装置であって、
前記プリズムは、２つの透明多面体の間にビームスプリッター層を介在させてなるアッセンブリであり、
前記照射光または前記反射光が、前記ビームスプリッター層によって偏向される、
血糖値測定装置。
【請求項３】
請求項２に記載の血糖値測定装置であって、
前記プリズムの表面のうち、前記照射光が偏向される場合は当該照射光が前記ビームスプリッター層を透過して到達する面、前記反射光が偏向される場合は前記照射光が前記ビームスプリッター層で反射して到達する面に、光を吸収する光吸収層が設けられている、
血糖値測定装置。
【請求項４】
光源装置からの照射光を生体部位に照射した際に前記生体部位にて反射される反射光に基づいて、血糖値を非侵襲で測定する血糖値測定方法において、
光が透過可能とされて、前記光源装置からの前記照射光が入射される入射面、当該入射面から入射された前記照射光を前記生体部位に向けて照射する照射面、および、前記生体部位にて反射された前記反射光が出射される出射面を別個に有するプリズムと、前記生体部位にて反射された前記反射光を検出する光検出装置と、を使用し、
前記プリズムにおいて、前記入射面から入射された前記照射光を前記照射面から前記生体部位に対して垂直に照射し、この前記照射光と光軸が一致するように正反射された前記反射光を前記入射面とは異なる前記出射面から出射するように、前記照射光または前記反射光を偏向させ、
前記出射面から出射される光を前記光検出装置が検出した検出結果に基づいて血糖値を算出する、
血糖値測定方法。
【請求項５】
請求項４に記載の血糖値測定方法であって、
前記プリズムとして、２つの透明多面体の間にビームスプリッター層を介在させてなるアッセンブリを使用し、
前記照射光または前記反射光を、前記ビームスプリッター層によって偏向させる、
血糖値測定方法。
【請求項６】
請求項５に記載の血糖値測定方法であって、
前記プリズムとして、当該プリズムが前記照射光を偏向する場合は当該照射光が前記ビームスプリッター層を透過して到達する面、前記プリズムが前記反射光を偏向する場合は前記照射光が前記ビームスプリッター層で反射して到達する面に、光を吸収する光吸収層が設けられてなる前記アッセンブリを使用する、
血糖値測定方法。
【発明の詳細な説明】
【技術分野】
【０００１】
本発明は、生体の血糖値を非侵襲で測定する血糖値測定装置および血糖値測定方法に関する。
【背景技術】
【０００２】
糖尿病は、血液中におけるグルコース（ぶどう糖）の濃度（本発明ではこれを「血糖値」とする。）が病的なレベルにまで高くなることを特徴として、種々の臓器に重大な障害をもたらす疾患である。糖尿病の治療においては患者における血糖値のコントロールが行われるため、血糖値を継続的に繰り返し測定できるように、血糖値を非侵襲で測定する血糖値測定装置についてのニーズがあった。なお、血糖値の測定に関する技術分野において、「侵襲」とは生体から血液を採取することをいい、「血糖値を非侵襲で測定する」とは生体から得られる特定種類の情報に基づいて生体から血液を採取することなくその血糖値を割り出すことを言う。
【０００３】
血糖値を非侵襲で測定することが可能な血糖値測定装置については、例えば下記の特許文献１および特許文献２に記載された技術が知られている。特許文献１には、生体の毛細血管に可視光または近赤外光を照射した際の反射光を分析することで血糖値を割り出す技術が開示されている。特許文献２には、生体の指に近赤外光を照射した際の反射光を測定することで血糖値の測定を行う技術が開示されている。
【先行技術文献】
【特許文献】
【０００４】
【特許文献１】特開２０１５−０６２７１６号公報
【特許文献２】特開２０１５−２０５１５２号公報
【発明の概要】
【発明が解決しようとする課題】
【０００５】
一般に、反射光には、指向性があって比較的強い正反射された反射光と、指向性がなく比較的弱い拡散反射された反射光とがある。ここで、上述した特許文献１および特許文献２に記載された各技術では、比較的弱い拡散反射された反射光から血糖値の測定を行っている。したがって、大出力の光源装置を用いて比較的強い光を生体に照射する必要があった。これには、大型で大出力の高価な光源装置が必要となるとともに、この光源装置の設置スペースを広くとる必要があり、ひいては血糖値測定装置が大型化してしまうという課題がある。
【０００６】
そこで、本発明は上記課題を解消するものであって、小出力の光源装置からの比較的弱い光の照射によって効率よく血糖値の測定を行うことができる装置および方法を提供することを目的とする。
【課題を解決するための手段】
【０００７】
本発明における１つの特徴によると、生体部位に照射光を照射した際に生体部位にて反射される反射光に基づいて、血糖値を非侵襲で測定する血糖値測定装置が提供される。この血糖値測定装置は、照射光を発する光源装置と、光を透過可能なプリズムと、生体部位にて反射された反射光を検出する光検出装置と、この光検出装置における反射光の検出結果に基づいて血糖値を算出する算出装置とを備えている。プリズムは、光源装置からの照射光が入射される入射面と、この入射面から入射された照射光を生体部位に向けて照射する照射面と、生体部位にて反射された反射光が光検出装置に向けて出射される出射面と、を別個に有する。そのうえで、プリズムは、入射面から入射された照射光を照射面から生体部位に対して垂直に照射し、この照射光と光軸が一致するように正反射された反射光を入射面とは異なる出射面から出射するように、照射光または反射光を偏向させる。
【０００８】
上記血糖値測定装置における好ましい実施形態の１つにおいては、プリズムは、２つの透明多面体の間にビームスプリッター層を介在させてなるアッセンブリであり、照射光または反射光が、ビームスプリッター層によって偏向される。
【０００９】
この実施形態においては、プリズムの表面のうち、照射光が偏向される場合はこの照射光がビームスプリッター層を透過して到達する面、反射光が偏向される場合は照射光がビームスプリッター層で反射して到達する面に、光を吸収する光吸収層が設けられていることが好ましい。
【００１０】
また、光源装置からの照射光を生体部位に照射した際に生体部位にて反射される反射光に基づいて、血糖値を非侵襲で測定する血糖値測定方法の発明も提供される。この血糖値測定方法においては、光が透過可能とされて、光源装置からの照射光が入射される入射面、この入射面から入射された照射光を生体部位に向けて照射する照射面、および、生体部位にて反射された反射光が出射される出射面を別個に有するプリズムを使用する。また、上記血糖値測定方法においては、生体部位にて反射された反射光を検出する光検出装置を使用する。また、上記血糖値測定方法においては、プリズムにおいて、入射面から入射された照射光を照射面から生体部位に対して垂直に照射し、この照射光と光軸が一致されるように正反射された反射光を入射面とは異なる出射面から出射するように、光を偏向させる。また、上記血糖値測定方法においては、出射面から出射される光を光検出装置が検出した検出結果に基づいて血糖値を算出する。
【００１１】
上記血糖値測定方法における好ましい実施形態の１つにおいては、プリズムとして、２つの透明多面体の間にビームスプリッター層を介在させてなるアッセンブリを使用し、照射光または反射光を、ビームスプリッター層によって偏向させる。
【００１２】
また、上記実施形態においては、プリズムとして、このプリズムが照射光を偏向する場合はこの照射光がビームスプリッター層を透過して到達する面、プリズムが反射光を偏向する場合は照射光がビームスプリッター層で反射して到達する面に、光を吸収する光吸収層が設けられてなるアッセンブリを使用することが好ましい。
【発明の効果】
【００１３】
本発明の血糖値測定装置および血糖値測定方法は、血液が流れる生体部位に光源装置からの照射光を垂直に照射することができる。ここで、垂直に照射される光に対して正反射される反射光の光軸は、照射される光の光軸に一致する。そのうえで、血糖値測定装置および血糖値測定方法では、正反射される反射光を入射面とは異なる出射面から出射し、この出射面から出射された反射光から血糖値を算出する。このように、正反射された比較的強い反射光から血糖値を算出することで、比較的弱い光の照射でも血糖値の測定を効率よく行うことが可能となる。これにより、光源装置を安価な小出力の光源装置としてその設置スペースを狭くし、ひいては血糖値測定装置を小型化してコストの削減を図ることができる。
【００１４】
ところで、入射面に入射される光をこの入射面とは別の照射面から照射し、この照射面に入射される反射光を、照射面および入射面とは別の出射面に到達させる装置としては、一般には偏光無依存型光アイソレーターが使用される。この偏光無依存型光アイソレーターは、入射される光の経路をその偏光の状態に応じて異なる経路に変える光学素子と、光を透過させる際にその偏光の状態を変化させる偏光素子とを組み合わせてなるアッセンブリである。なお、偏光無依存型光アイソレーターは、その各素子に比較的高価な材料（例えば天然の雲母、方解石、水晶またはガーネット）を用いる、比較的高価なアッセンブリである。
【００１５】
これに対し、上述した好ましい実施形態によれば、２つの透明多面体の間にビームスプリッター層を介在させてなるプリズムによって、入射面から入射された照射光の一部を照射面から照射し、この照射面から入射された反射光の一部を照射面および入射面とは別の出射面から出射させることができる。これにより、比較的高価なアッセンブリである偏光無依存型光アイソレーターを使用することなく、血糖値を非侵襲で測定することが可能となる。
【００１６】
ただし、上記好ましい実施形態においては、入射面から入射された照射光の一部が、照射面から照射されることがない迷光（stray  light）となる。この迷光は、プリズムから外部に出射されるとこのプリズムの周囲の物品にて反射されて、その一部がプリズムの出射面を通って光検出装置に到達し、この光検出装置の検出結果にノイズを生じさせる。そこで、入射面から入射された照射光のうち、照射面から照射されることがない迷光を光吸収層に吸収させる構成とすれば、この迷光がプリズムの外部に出射されることをさけることができる。したがって、迷光がプリズムの周囲の物品にて反射されて光検出装置に到達することで、この光検出装置の検出結果にノイズを生じさせることをさけることができる。
【図面の簡単な説明】
【００１７】
【図１】本発明の一実施形態にかかる血糖値測定装置１０を表した斜視図である。
【図２】血糖値測定装置１０の使用方法を表した説明図である。
【図３】血糖値測定装置１０が血糖値を測定する原理を説明するための説明図である。
【図４】血糖値を測定する原理についての変形例を説明するための説明図である。
【発明を実施するための形態】
【００１８】
以下に、本発明を実施するための形態について、図面を用いて説明する。本発明の血糖値測定装置は、ヒトの血糖値を非侵襲で測定する血糖値測定装置である。
【００１９】
一実施形態にかかる血糖値測定装置１０は、図１に示すように、上方に盛り上がった形状に形成された盛り上がり部１１Ａと、この盛り上がり部１１Ａにおける下部から側方に張り出された張り出し部１１Ｃとを有する筐体１１を備えている。ここで、張り出し部１１Ｃは、その上面が平坦となるように形成されて、この上面に外部に向けて表示を行うディスプレイ１１Ｄが設けられた構成となっている。
【００２０】
また、盛り上がり部１１Ａには、その上面において一方側（以下、「前側」と記載する。）に偏った部分に、血糖値の測定に際してヒトの生体部位（図２では中指の腹９０Ａ）が押し当てられる測定部１１Ｂが設けられている。また、盛り上がり部１１Ａは、パーソナルコンピュータ用のマウスのような形状に形成されて、ヒトがその手９０（図２参照）を上記前側とは反対側となる後ろ側から伸ばして、この後ろ側から容易につかむことができるようになっている。また、盛り上がり部１１Ａの内部には、この盛り上がり部１１Ａをヒトがつかんだ状態にあるときにこの状態を検出するタッチスイッチ装置１０Ｂが組み付けられている。なお、盛り上がり部１１Ａにおいて、測定部１１Ｂは、ヒトの手９０が上記後ろ側から盛り上がり部１１Ａをつかんだ際にこの手９０における中指の腹９０Ａが自然に位置される場所に、この中指の腹９０Ａで覆うことが可能な大きさに設けられている。
【００２１】
また、盛り上がり部１１Ａに設けられた測定部１１Ｂは、図３に概念的に示すように、光（図３では照射光９１、反射光９２、迷光９１Ａ、および、迷光９２Ａ）を透過可能なプリズム１３が一体に組み付けられたものである。このプリズム１３には、照射光９１を発する光源装置１２と、光（図３では反射光９２）を検出する光検出装置１４とが、それぞれ一体に組み付けられている。
【００２２】
また、血糖値測定装置１０は、図示はしないが、種々の計算処理を行うことが可能なＣＰＵボードを、筐体１１内に収納された状態に備えている。また、血糖値測定装置１０は、図示はしないが、上記ＣＰＵボードと、ディスプレイ１１Ｄと、光源装置１２と、光検出装置１４と、タッチスイッチ装置１０Ｂとを結線し、この結線の構造によって上記各構成を血糖値の測定手段として機能させるコントロールボードを、筐体１１内に収納された状態に備えている。ここで、上記コントロールボードは、制御プログラムをコンピュータ読み取り可能に記録して、この制御プログラムによって上記各構成を協働させることによって、血糖値測定装置１０に血糖値を測定する機能を実現させるものであってもよい。また、血糖値測定装置１０は、図示はしないが、給電ケーブル１０Ａ（図１参照）から供給される電気を上記ＣＰＵボードと、ディスプレイ１１Ｄと、光源装置１２と、タッチスイッチ装置１０Ｂと、上記コントロールボードとに分配する配電盤を、筐体１１内に収納された状態に備えている。ここで、給電ケーブル１０Ａは、血糖値測定装置１０を動作させるための電気エネルギーを供給するものである。
【００２３】
そして、血糖値測定装置１０は、図２に示すように、ヒトがその手９０で盛り上がり部１１Ａをつかみ、その中指の腹９０Ａが測定部１１Ｂに押し当てられた状態（以下においては、「つかみ状態」とも称する。）において、ヒトの血糖値を測定するようになっている。この測定結果は、血糖値測定装置１０のディスプレイ１１Ｄに表示される。なお、血糖値測定装置１０は、この血糖値測定装置１０が上記つかみ状態にあるか否かをタッチスイッチ装置１０Ｂ（図１参照）によって検出し、血糖値測定装置１０が上記つかみ状態にあるときにのみ血糖値の測定を行う。
【００２４】
ところで、血糖値測定装置１０は、光源装置１２からの照射光９１を中指の腹９０Ａに照射した際にこの中指の腹９０Ａにて反射される反射光９２（図３参照）に基づいて、血糖値を非侵襲で測定するようになっている。以下、血糖値測定装置１０を使用して血糖値を測定する血糖値測定方法の構成および原理について、主に図３を用いて説明する。
【００２５】
血糖値測定装置１０において、光源装置１２は、コヒーレントな光を発するレーザーダイオード１２Ａと、このレーザーダイオード１２Ａからの光をコリメート光（伝播の際に拡散も収束もしない光）にするコリメートレンズ１２Ｂとを組み合わせてなるアッセンブリである。これにより、光源装置１２は、照射光９１としてコヒーレントなコリメート光を発する。なお、光源装置１２のレーザーダイオード１２Ａは、例えば波長が６５０［ｎｍ］の光（ヒトの目には赤っぽく見える）を発するレーザーダイオードとすることができる。
【００２６】
また、血糖値測定装置１０において、プリズム１３は、互いに合同な形状を呈する２つの直角プリズム１３Ａ、１３Ｅにおける斜面の間に金属製のビームスプリッター層１３Ｄを介在させてなるアッセンブリである。ここで、「直角プリズム」とは、２枚の底面が直角二等辺三角形となる直角柱形状に形成された中実の透明多面体のことをいう。また、直角プリズムにおいて、「斜面」とは、その各底面の直角二等辺三角形における底辺の間に位置される側面のことをいう。上記構成によれば、プリズム１３が光を透過する際に、この光の経路が屈折によってずれることを抑えることができる。
【００２７】
ビームスプリッター層１３Ｄは、直角プリズム１３Ａの斜面に、この斜面の全体を覆うように蒸着されている。また、ビームスプリッター層１３Ｄにおいて直角プリズム１３Ａとは反対側（図３では左下側）となる面には、この面の全体を覆うように直角プリズム１３Ｅの斜面が貼り付けられている。このため、直角プリズム１３Ａ、１３Ｅにおける斜面を除く各面は、それぞれがプリズム１３の表面の一部をなす。
【００２８】
そして、ビームスプリッター層１３Ｄは、直角プリズム１３Ａにおける斜面以外の２側面の一方に入射された光の一部を直角プリズム１３Ｅ側に透過させ、同時に上記光の一部を上記２側面の他方から出射されるように偏向させるとともに、残りの光を吸収する。なお、ビームスプリッター層１３Ｄは、４５［°］の入射角で光が入射された際に、ビームスプリッター層１３Ｄにて反射される光の強さがこのビームスプリッター層１３Ｄを透過する光の強さと等しくなるように構成することができる。
【００２９】
また、直角プリズム１３Ａにおいて、その斜面以外の２側面は、その一方が光源装置１２からの照射光９１が入射される入射面１３Ｂとされ、他方が入射面１３Ｂから入射された照射光９１を照射する照射面１３Ｃとされる。この照射面１３Ｃは、筐体１１の盛り上がり部１１Ａに設けられた測定部１１Ｂにおいて外部側（図３では上側）に露見され、上述したつかみ状態においてはヒトの生体部位である中指の腹９０Ａが押し当てられた状態とされる。また、光源装置１２は、直角プリズム１３Ａの入射面１３Ｂに一体に貼り付けられて、この入射面１３Ｂに照射光９１を垂直に入射させるようになっている。ここで、光源装置１２を直角プリズム１３Ａに一体に貼り付ける構成によれば、この直角プリズム１３Ａに入射される照射光９１の経路のずれをなくすことができる。
【００３０】
ところで、直角プリズム１３Ｅは、その斜面以外の２側面のうち一方が直角プリズム１３Ａの入射面１３Ｂと対向し、他方が直角プリズム１３Ａの照射面１３Ｃと対向するように、ビームスプリッター層１３Ｄに貼り付けられている。ここで、直角プリズム１３Ｅにおいて入射面１３Ｂと対向する面は、光を吸収する光吸収層１３Ｇに覆われている。この光吸収層１３Ｇには、ポリカルボナートを顔料であるカーボンブラックによって黒色にした光吸収材料を使用することができる。
【００３１】
また、直角プリズム１３Ｅにおいて照射面１３Ｃと対向する面は、照射光９１が中指の腹９０Ａにて反射され、ビームスプリッター層１３Ｄを透過した反射光９２が出射される出射面１３Ｆとされている。したがって、プリズム１３は、入射面１３Ｂ、照射面１３Ｃ、および、出射面１３Ｆを、それぞれ別個の面として有する。
【００３２】
出射面１３Ｆには、この出射面１３Ｆから出射される反射光９２の有無およびその強さを検出する光検出装置１４が一体に貼り付けられている。この光検出装置１４は、光源装置１２が発する照射光９１の波長（例えば６５０［ｎｍ］）を含む波長領域の光を検出可能なフォトダイオードとすることができる。
【００３３】
光検出装置１４には、この光検出装置１４における反射光９２の検出結果に基づいて血糖値を算出する算出装置１４Ａが接続されている。この算出装置１４Ａは、上述した結線の構造または上述した制御プログラムが、上述したＣＰＵボードに、光検出装置１４の検出結果に所定のデータ処理を施して血糖値を算出する機能を実現させたものとすることができる。
【００３４】
上述したつかみ状態において血糖値測定装置１０が血糖値の測定を行う場合、光源装置１２は、前もって設定された所定の出力で照射光９１を発し、この照射光９１をプリズム１３の入射面１３Ｂに垂直に入射させる。この照射光９１は、プリズム１３のビームスプリッター層１３Ｄに４５［°］の入射角で入射され、その一部がビームスプリッター層１３Ｄを透過して迷光９１Ａとなる。この迷光９１Ａは、プリズム１３においてその入射面１３Ｂと対向する面に到達し、この面を覆うように設けられた光吸収層１３Ｇに吸収される。
【００３５】
また、プリズム１３のビームスプリッター層１３Ｄに入射された照射光９１は、その一部がビームスプリッター層１３Ｄにて反射されることで９０［°］偏向され、照射面１３Ｃから中指の腹９０Ａに向けて照射される。ここで、中指の腹９０Ａは、プリズム１３の照射面１３Ｃに押し当てられることでこの照射面１３Ｃに沿って広がった状態となっている。このため、照射光９１は、プリズム１３の照射面１３Ｃから中指の腹９０Ａに対して垂直に照射される。
【００３６】
中指の腹９０Ａに照射された照射光９１は、その一部が中指の腹９０Ａに吸収され、残りがプリズム１３の照射面１３Ｃ側（図３では下側）に向けて反射される。ここで、照射光９１が生体部位（図３では中指の腹９０Ａ）にて反射される割合は、この生体部位に流れる血液の血糖値に応じて変化する。このため、所定の出力を有する照射光９１を中指の腹９０Ａに照射した際にこの中指の腹９０Ａにて反射された光の強さを分析することで、中指の腹９０Ａから血液を採取することなくその血糖値を割り出すことができる。
【００３７】
ところで、光を生体部位に照射した際にこの生体部位にて反射された光には、指向性がある正反射された反射光と、指向性がない拡散反射された反射光の両方が含まれる。ここで、上記拡散反射された反射光は、生体部位に照射される光が大出力の光源装置からの強い光でない限りは血糖値の測定に用いることができないほどに弱い光である。一方、上記正反射された反射光は、上記拡散反射された反射光よりも強い光であり、生体部位に照射される光が小出力の光源装置からの弱い光であっても効率よく血糖値の測定に用いることができる。
【００３８】
さて、垂直に照射される光に対して正反射される反射光の光軸は、照射される光の光軸に一致する。このため、中指の腹９０Ａに対して垂直に照射された照射光９１が正反射された反射光９２は、照射面１３Ｃからプリズム１３内に入射され、照射光９１の経路と同じ経路を逆向きに進み、ビームスプリッター層１３Ｄに４５［°］の入射角で入射される。そして、反射光９２は、その一部がビームスプリッター層１３Ｄにて反射されることで９０［°］偏向され、入射面１３Ｂから光源装置１２に向けて出射される迷光９２Ａとなる。また、反射光９２は、その一部がビームスプリッター層１３Ｄを透過し、出射面１３Ｆから光検出装置１４に向けて出射される。ここで、光検出装置１４をプリズム１３の出射面１３Ｆに一体に貼り付ける構成によれば、この出射面１３Ｆから光検出装置１４に向けて出射される反射光９２の経路のずれをなくすことができる。
【００３９】
光検出装置１４は、出射面１３Ｆから出射される反射光９２の強さを検出し、その検出結果を算出装置１４Ａに出力する。この算出装置１４Ａは、上記検出結果に基づいて血糖値を算出し、その算出結果をディスプレイ１１Ｄ（図２参照）を介して外部に出力する。この出力は、ディスプレイ１１Ｄにおいて、血糖値測定装置１０による血糖値の測定結果として表示される。
【００４０】
上述した血糖値測定装置１０および血糖値測定方法は、血液が流れるヒトの生体部位である中指の腹９０Ａに血液が流れる生体部位に光源装置１２からの照射光９１を垂直に照射することができる。そのうえで、上述した血糖値測定装置１０および血糖値測定方法では、正反射される反射光９２を入射面１３Ｂとは異なる出射面１３Ｆから出射し、この出射面１３Ｆから出射された反射光９２から血糖値を算出する。このように、正反射された比較的強い反射光９２から血糖値を算出することで、比較的弱い光の照射でも血糖値の測定を効率よく行うことが可能となる。これにより、光源装置１２を安価な小出力の光源装置としてその設置スペースを狭くし、ひいては血糖値測定装置１０を小型化してコストの削減を図ることができる。
【００４１】
また、上述した血糖値測定装置１０および血糖値測定方法では、透明多面体である２つの直角プリズム１３Ａ、１３Ｅの間にビームスプリッター層１３Ｄを介在させてなるプリズム１３を使用する。このため、入射面１３Ｂから入射された照射光９１の一部を照射面１３Ｃから照射し、この照射面１３Ｃから入射された反射光９２の一部を照射面１３Ｃおよび入射面１３Ｂとは別の出射面１３Ｆから出射させることができる。これにより、比較的高価なアッセンブリである偏光無依存型光アイソレーターを使用することなく、血糖値を非侵襲で測定することが可能となる。
【００４２】
また、上述した血糖値測定装置１０および血糖値測定方法では、入射面１３Ｂから入射された照射光９１のうち、照射面１３Ｃから照射されることがない迷光９１Ａを光吸収層１３Ｇに吸収させる。この構成によれば、プリズム１３の外部に迷光９１Ａが出射されることをさけることができる。したがって、迷光９１Ａがプリズム１３の周囲の物品（例えば図３に示す筐体１１）にて反射されて光検出装置１４に到達することで、この光検出装置１４の検出結果にノイズを生じさせることをさけることができる。
【００４３】
本発明は、上述した一実施形態で説明した外観、構成に限定されず、本発明の要旨を変更しない範囲で種々の変更、追加、削除が可能である。例えば、以下のような形態を実施することができる。
【００４４】
すなわち、血糖値測定装置１０において、光源装置１２と光検出装置１４との配設位置を入れ替えた変形例（図４参照）を採用することができる。この変形例においては、光源装置１２からの照射光９１は、プリズム１３のビームスプリッター層１３Ｄを透過する一部が中指の腹９０Ａに向けて照射され、ビームスプリッター層１３Ｄにて反射により偏向される一部が光吸収層１３Ｇに向かう迷光９１Ａとなる。また、中指の腹９０Ａにて照射光９１が正反射された反射光９２は、プリズム１３のビームスプリッター層１３Ｄにて反射により偏向される一部が光検出装置１４に向けて出射され、ビームスプリッター層１３Ｄを透過する一部が光源装置１２に向かう迷光９２Ａとなる。
【符号の説明】
【００４５】
１０    血糖値測定装置
１０Ａ  給電ケーブル
１０Ｂ  タッチスイッチ装置
１１    筐体
１１Ａ  盛り上がり部
１１Ｂ  測定部
１１Ｃ  張り出し部
１１Ｄ  ディスプレイ
１２    光源装置
１２Ａ  レーザーダイオード
１２Ｂ  コリメートレンズ
１３    プリズム
１３Ａ  直角プリズム（透明多面体）
１３Ｂ  入射面
１３Ｃ  照射面
１３Ｄ  ビームスプリッター層
１３Ｅ  直角プリズム（透明多面体）
１３Ｆ  出射面
１３Ｇ  光吸収層
１４    光検出装置
１４Ａ  算出装置
９０    手
９０Ａ  中指の腹（生体部位）
９１    照射光
９１Ａ  迷光
９２    反射光
９２Ａ  迷光
【図１】
2018020011.tif 000003
【図２】
2018020011.tif 000004
【図３】
2018020011.tif 000005
【図４】
2018020011.tif 000006